(57)【要約】      （修正有）【課題】美観に優れ、軒天井裏に雨水や炎が侵入することを防止でき、軒天井裏に雨水が侵入しても排出することができる軒天換気材を提供する。【解決手段】軒天換気材１は、深さ方向が水平方向に一致するように形成された、軒天井床材の一端部を嵌入させる溝部２と、溝部２の上縁から上方に屈曲され、折り返されて二重にされた遮蔽板部３と、遮蔽板部３の下端部から、水平面に対して斜め上方に向かって、遮蔽板部３から離れるように延設され、換気孔４１が形成された換気板部４と、溝部２の底面２１と離間して対向するように形成され、溝部２の底面２１との間に通気入り口Ｏ１を形成する立板部５と、立板部５の上端と換気板部４の上端とを接続する上板部６と、立板部５の下端から溝部２と反対方向に延設された下板部７とを備える。換気孔４１は、水平方向において溝部２の底面２１よりも、遮蔽板部３側に形成されている。【選択図】図２
2016211305.tif 000002
【特許請求の範囲】
【請求項１】
金属板を折り曲げて形成される軒天換気材であって、
軒天井板材の一端部を嵌入させる溝部と、
前記溝部から上方に屈曲され、折り返されて二重にされた遮蔽板部と、
前記遮蔽板部の下端部から斜め上方に向かって、前記遮蔽板部から離れるように延設され、換気孔及び水抜き孔が形成された換気板部と、
前記溝部の底面と離間して対向するように形成されることで、前記溝部の底面との間に通気入り口を形成する立板部と、
前記立板部の上端と前記換気板部の上端とを接続する上板部と、
前記立板部の下端から前記溝部と反対方向に向かって延設された下板部と、
を備え、
前記換気孔が、前記溝部の底面よりも、前記遮蔽板部側に形成されている、
ことを特徴とする軒天換気材。
【請求項２】
前記溝部の上面における前記立板部側が上方に突出しており、この突出する部位の下端側に水抜き孔が形成されている、
ことを特徴とする請求項１に記載の軒天換気材。
【請求項３】
前記上板部が、その中途位置に屈曲部を有する、
ことを特徴とする請求項１又は２に記載の軒天換気材。
【請求項４】
前記下板部が、前記溝部の下面とほぼ同じ高さ位置で延設されており、
前記下板部の上には、板面が上下方向に向くように板材が配置されている、
ことを特徴とする請求項１から３の何れかに記載の軒天換気材。
【発明の詳細な説明】
【技術分野】
【０００１】
本発明は、建物の小屋裏の換気を行うための軒天換気材に関する。
【背景技術】
【０００２】
従来、木造住宅等の小屋裏の湿気や熱気を排出するために、軒先や軒下に軒天換気材が設置されている。このような軒天換気材としては、特許文献１、及び特許文献２に開示されているように、金属板を屈曲させて成るものが知られている。金属板を屈曲させて形成された軒天換気材は、安価で容易に形成することができる。特許文献１の軒天換気材は、通気用スリット孔が形成された天井面と、この天井面の前縁及び後縁から下方に延びる起立面とが形成され、これらの起立面の間が換気流通路となり、この換気流通路に下から流入した空気が天井面のスリット孔から軒天井裏（屋根裏）に流入することで、軒天井裏の換気がなされるようになっている。また、天井面の前縁から延設されるように水平取付片が形成されており、かつ、前方側の起立面の下縁から前方に延設されるように天井見切り部が設けられ、後方側の起立面の下縁から後方に延設されるように壁見切り部が設けられている。水平取付片が天井板に取り付けられることで、軒天換気材を取り付けることができ、取り付け状態では、天井見切り部と壁見切り部とが天井板から下方に出っ張るようになっている。
【０００３】
特許文献２には、天壁の天井裏口を下から覆うように取り付けられる軒天換気材が開示されている。この軒天換気材は、軒天井板の一端を嵌め入れるための構成（軒先側天壁、軒先側側壁、突出部）を有し、この構成の下部から延設された底壁と、底壁の後縁に連続する軒元側側壁とが形成されており、底壁と軒元側側壁とによって天井裏口を覆うようになっている。軒元側側壁には軒下開口が形成されている。これによって、軒下開口から流入した空気が天井裏口から軒天井裏に流入して、軒天井裏の換気がなされるようになっている。
【先行技術文献】
【特許文献】
【０００４】
【特許文献１】特開２００２−１８８２２４号公報
【特許文献２】特開２００４−２０４６０７号公報
【発明の概要】
【発明が解決しようとする課題】
【０００５】
従来の特許文献１、２の軒天換気材は、天井板（軒天井板材）より下方に突出する部位があるため、美観を損ねていた。そして、特許文献１では、スリット孔が換気流通路の下方から視認可能な位置にあるため、これによっても美観を損ねており、また、換気流通路の下方から侵入した雨水や炎がスリット孔に侵入し易い。更に、従来の特許文献１、２の軒天換気材では、雨水が軒天井裏に侵入してしまったときに、軒天井裏から雨水を排出するための機構がなかった。
【０００６】
そこで、本発明は、美観に優れ、軒天井裏に雨水や炎が侵入することを防止でき、更には、軒天井裏に雨水が侵入しても排出することができる軒天換気材を提供することを目的とするものである。
【課題を解決するための手段】
【０００７】
（１）上記課題を解決するために、本発明に係る軒天換気材は、金属板を折り曲げて形成される軒天換気材であって、軒天井板材の一端部を嵌入させる溝部と、前記溝部から上方に屈曲され、折り返されて二重にされた遮蔽板部と、前記遮蔽板部の下端部から斜め上方に向かって、前記遮蔽板部から離れるように延設され、換気孔及び水抜き孔が形成された換気板部と、前記溝部の底面と離間して対向するように形成されることで、前記溝部の底面との間に通気入り口を形成する立板部と、前記立板部の上端と前記換気板部の上端とを接続する上板部と、前記立板部の下端から前記溝部と反対方向に向かって延設された下板部と、を備え、前記換気孔が、前記溝部の底面よりも、前記遮蔽板部側に形成されている、
ことを特徴とする軒天換気材、ことを特徴とする。
【０００８】
上記構成によれば、換気孔が溝部の底面よりも遮蔽板部側に形成されているため、通気入り口から視認し難い。これによって、軒天換気材の美観が良くなる。また、換気孔が溝部の底面よりも遮蔽板部側に形成されているため、通気入り口からの雨水や炎が換気孔に入ることが防止される。さらに、換気孔から軒天井裏に雨水が侵入した場合でも、この雨水を遮蔽板部で跳ね返らせることで、水抜き孔を介して雨水を排出することができ、これによって、軒天井裏に雨水が侵入することを防止することができる。
【０００９】
（２）また、本発明に係る軒天換気材は、前記溝部の上面における前記立板部側が上方に突出しており、この突出する部位の下端側に水抜き孔が形成されている、ことを特徴としてもよい。
【００１０】
上記構成によれば、突出部位によって、通気入り口からの雨水や炎等をブロックして、雨水や炎等が軒天換気材内に侵入することを防止することができる。更に、突出する部位の上を超えて雨水が軒天換気材内に侵入した場合でも、突出する部位の水抜き孔によって、雨水を軒天換気材外部に排出することができる。更に、突出する部位によって、より一層、換気孔を通気入口から視認し難くすることができる。
【００１１】
（３）上記上板部が、その中途位置に屈曲部を有する、ことを特徴としてもよい。
【００１２】
上記構成によれば、通気入り口から吹き込まれる風の応力を効果的に吸収することができ、万一の火災時の熱応力に対しても効果的な強度を発揮できる。また、屈曲部を設けたことによる復元作用によって軒天井板材の端部をより好ましく嵌入保持することができる。
【００１３】
（４）上記軒天換気材では、前記下板部が、前記溝部の下面とほぼ同じ高さ位置で延設されており、前記下板部の上には、板面が上下方向に向くように板材が配置されている、ことを特徴としてもよい。
【００１４】
上記構成によれば、下板部の上に板材が配置されているため、軒天換気材を際野縁に取り付ける場合と取り付けない場合とで、際野縁の取り付け位置を変更する必要がない。また、耐火性を有する板材を用いることで、火災時に板材によって、際野縁への延焼を防止することができる。また、板材の幅が、溝部の幅同程度であることが好ましい。なお、ほぼ同じ高さ位置及び同程度とは、例えば、建築施工（建築設計）上許容される誤差の範囲であることである。
【発明の効果】
【００１５】
上記構成によれば、美観に優れ、軒天井裏に雨水や炎が侵入することを防止でき、更には、軒天井裏に雨水が侵入しても十分に排出することができる軒天換気材を提供することができる。
【図面の簡単な説明】
【００１６】
【図１Ａ】本実施形態に係る軒天換気材を建物の軒先に取り付けた状態を示す図である。
【図１Ｂ】本実施形態に係る軒天換気材を建物の壁際に取り付けた状態を示す図である。
【図２】本実施形態に係る軒天換気材の断面図である。
【図３】本実施形態に係る軒天換気材の正面図である。
【図４】本実施形態に係る軒天換気材の底面図である。
【図５】軒天換気材における空気の流れを示す図である。
【図６】軒天換気材における雨水の排出を示す図である。
【発明を実施するための形態】
【００１７】
以下、本発明の好適な一実施形態について、図面を参照しつつ説明する。
（軒天換気材の全体構成）
図１Ａから図２を用いて本実施形態にかかる軒天換気材の全体構成を説明する。図１Ａは、本実施形態に係る軒天換気材を建物の軒先に取り付けた状態を示す図である。図１Ｂは、本実施形態に係る軒天換気材を建物の壁際に取り付けた状態を示す図である。図２は、本実施形態に係る軒天換気材の断面図である。なお、図２は、図３の軒天換気材１のＡ−Ａ矢視断面図である。
【００１８】
図１Ａ、図１Ｂに示すように、本実施形態に係る軒天換気材１は、建物１００の軒１０１の下に設置され、建物１００の軒天井裏（屋根裏）１００Ａの換気を行うための部材である。軒天換気材１の建物１００への取り付け構造を説明する。
建物１００では、外装材１０２（「外壁」の一例）が合板１０３Ａを介して柱１０３に取り付けられて垂直方向に立ち上がるように形成されているとともに、軒１０１が外装材１０２から前方に突出するように形成されている。屋根１０１において、垂木１０４が外装材１０２から前方に突出するように形成されており、垂木１０４の軒先側の先端には、鼻隠し下地１０５がビスＢ１を介して取り付けられ、この鼻隠し下地１０５には、鼻隠し板１０６が取り付けられている。そして、垂木１０４の下方において、建物１００の幅方向に延びる際野縁（野縁受け）１０７が軒先側及び壁際側に設けられている。なお、軒先側の際野縁１０７を、軒先際野縁１０７Ａと記載し、壁際側の際野縁１０７を、軒元際野縁１０７Ｂと記載する。本実施形態では、建物１００は野縁を有さないが、軒天換気材１はこの様な野縁を有さない建物１００にも取り付けることができる。
【００１９】
軒先際野縁１０７Ａ及び軒元際野縁１０７Ｂのうち何れか一方には、軒天換気材１がビスＢ３を介して取り付けられ、他方には、垂木１０４と略平行に延びるように軒天井板材１０８がビスＢ４を介して取り付けられる。図１Ａは、軒天換気材１を軒先際野縁１０７Ａに取り付ける、すなわち、軒天換気材１を軒先側に取り付ける場合を示している。この場合には、軒先際野縁１０７Ａは、鼻隠し下地１０５の下面に取り付けられ、軒先際野縁１０７Ａの下面に軒天換気材１（下板部７）がビスＢ３で固定される。また、軒元際野縁１０７Ｂの下面に対して、軒天井板材１０８の一端部がビスＢ４を介して固定される。軒天換気材１の下板部７の下面と、軒天井板材１０８の下面とが略同一平面に配置されるようになっている。軒天換気材１と軒天井板材１０８が取り付けられた状態では、軒天換気材１の前方部分が軒天井板材１０８の上方に配置されるようになっている。
【００２０】
図１Ｂは、軒天換気材１を軒元際野縁１０７Ｂに取り付ける、すなわち、軒天換気材１を壁際側に取り付ける場合を示している。この場合には、軒元際野縁１０７Ｂは、外装材１０２に取り付けられ、軒元際野縁１０７Ｂの下面に軒天換気材１（下板部７）がビスＢ３で固定される。また、軒先際野縁１０７Ａの下面に対して、軒天井板材１０８の一端部がビスＢ４を介して固定される。軒天換気材１の下板部７の下面と、軒天井板材１０８の下面とが略同一平面に配置されるようになっている。なお、軒先際野縁１０７Ａは、鼻隠し下地１０５の後面に取り付けられる。軒天換気材１と軒天井板材１０８が取り付けられた状態では、軒天換気材１の前方部分が軒天井板材１０８の上方に配置されるようになっている。
【００２１】
上述した、軒天換気材１の建物１００への取り付け構造は、一例であり、建物１００の軒１０１又は軒１０１の下に取り付けられて、軒天井裏１００Ａの換気を行うことができれば、軒天換気材１はどのように取り付けられてもよい。
【００２２】
図２で示すように、軒天換気材１は、金属板を折り曲げて形成される長尺状の部材であり、長手方向が建物１００の幅方向に一致するように取り付けられる。なお、図２における左方が軒天換気材１の前方、図２における右方が軒天換気材１の後方、図２における奥方が軒天換気材１の右方、図２における手前方が軒天換気材１の左方、図２における上方が軒天換気材１の上方、図２における下方が軒天換気材１の下方である。軒天換気材１の長手方向は、左右方向である。軒天換気材１は、深さ方向が前後方向に一致するように形成された、軒天井板材１０８の一端部を嵌入させる溝部２と、溝部２の上縁Ｋ２から上方に屈曲され、折り返されて二重にされた遮蔽板部３と、遮蔽板部３の下端部（例えば下縁Ｋ３）から斜め上方に向かって、遮蔽板部３から離れるように延設され、換気孔４１及び水抜き孔４２が形成された換気板部４と、溝部２の底面２１と離間して対向するように形成されることで、溝部２の底面２１との間に通気入り口Ｏ１を形成する立板部５と、立板部５の上端Ｋ９と換気板部４の上端Ｋ８とを接続する上板部６と、立板部５の下端Ｋ１０から溝部２と反対方向に向かって延設された下板部７と、を備える。
【００２３】
上記構成によれば、溝部２の下側溝壁部２２及び下板部７がほぼ一直線上（同一平面上）に形成されているため、軒天井板材１０８よりも外部側（下側）に突出する部位がなく、軒天換気材１の美観が良くなる。また、換気孔４１から軒天井裏１００Ａに雨水が侵入した場合でも、この雨水を遮蔽板部３で跳ね返らせることで、換気孔４１等を介して雨水を軒天換気材１内部まで排出することができ、これによって、軒天井裏１００Ａに雨水が侵入することを防止することができる。
【００２４】
以下に、軒天換気材１の各部材の構成について、詳細に説明する。
（軒天換気材１の各部材の構成：溝部２）
図２から図４を用いて溝部２の構成を詳細に説明する。図３は、本実施形態に係る軒天換気材１の正面図である。図４は、本実施形態に係る軒天換気材１の底面図である。溝部２は、左右方向に延びる長尺状の部材である。溝部２は、上下方向に起立するように形成された溝底面２１と、溝底面２１の下縁Ｋ７から前方に向かって延設されて前端が折返位置Ｋ６で折り返されて二重に形成された下側溝壁部２２と、溝底面２１の上縁Ｋ４から前方に向かって延設された上側溝壁部２３とから成る。溝底面２１、下側溝壁部２２、及び上側溝壁部２３に囲まれた空間内に、軒天井板材１０８の後端が嵌め入れられて、溝部２によって、軒天井板材１０８を支持できるようになっている。
【００２５】
上側溝壁部２３の前縁Ｋ２は、下側溝壁部２２の前縁Ｋ６よりも前方に位置するようになっている。また、溝部２の上面、すなわち上側溝壁部２３は、平面に形成されているが、その後部側（立板部５側）が上方に突出しており、この突出する部位（突出部位２３１）の少なくとも下端側に水抜き孔２３１Ａが形成されている。この構成によれば、突出部位２３１によって、通気入り口Ｏ１からの雨水や炎等をブロックして、雨水や炎等が軒天換気材１内に侵入することを防止することができる。更に、突出部位２３１の上を超えて雨水が軒天換気材１内に侵入した場合でも、突出部位２３１の水抜き孔２３１Ａによって、雨水を軒天換気材１外部に排出することができる。更に、突出部位２３１によって、より一層、換気孔４１が通気入り口Ｏ１から視認し難くすることができる。
【００２６】
本実施形態では、突出部位２３１は、上側溝壁部２３の前後方向の途中位置Ｋ５から上後方に屈曲されるように形成され、その後縁で溝底面２１の上縁Ｋ４に接続されてなる。そして、突出部位２３１には、所定の間隔（例えば等間隔）を開けて軒天換気材１の長手方向（左右方向）に連続するように形成された複数の水抜き孔２３１Ａが形成されている。水抜き孔２３１Ａは、突出部位２３１における上下方向の全域に延びるスリット状に切り欠かれて形成されており、溝底面２１の上部に亘って形成されている。この様に水抜き孔２３１Ａを形成することで、水抜き孔２３１Ａを広く確保して、水抜きし易くなっている。
【００２７】
（軒天換気材１の各部材の構成：遮蔽板部３）
図２から図４を用いて遮蔽板部３の構成を詳細に説明する。遮蔽板部３は、左右方向に延びる長尺状の部材である。遮蔽板部３は、溝部２の上側溝壁部２３における前縁Ｋ２から、前方に向かって斜め上方に延設されるように形成されている。溝部２の上側溝壁部２３と遮蔽板部３との角度は、例えば略１２０度になっている。遮蔽板部３は、中途位置Ｋ１で折り返されて二重に形成されており、折り返し部分における下端部には、スリット状に切り欠かれてなる水抜き孔４２が形成されている。なお、詳細については後述するが、遮蔽板部３の折り返し部分の下縁Ｋ３からは換気板部４が形成されており、水抜き孔４２は、遮蔽板部３の折り返し部分の下端部から換気板部４の下端部にわたって形成されている。これによって、換気板部４の換気孔４１から軒天井裏１００Ａに侵入した雨水を遮蔽板部３の折り返し部で跳ね返らせて、水抜き孔４２を介して軒天換気材１の内部まで排出することができる。
【００２８】
本実施形態では、水抜き孔４２は、左右方向に所定の間隔に（例えば等間隔を開けて）軒天換気材１の長手方向（左右方向）に連続するように形成されており、その左右方向での位置は、上述した突出部位２３１に形成された水抜き孔２３１Ａの左右方向での位置と一致するように）形成されている。これによって、軒天井裏１００Ａから水抜き孔４２を介して排出された雨水等を、水抜き孔２３１Ａを介して、効率よく軒天換気材１の外部に排出することができる。
【００２９】
（軒天換気材１の各部材の構成：換気板部４）
図２から図４を用いて換気板部４の構成を詳細に説明する。換気板部４は、左右方向に延びる長尺状の部材である。換気板部４は、遮蔽板部３の折り返し部分の下縁Ｋ３から、後方に向かって斜め上方に延設されるように形成されている。換気板部４には、複数（例えば４０個）の換気孔部４０からなる換気孔部群４０Ａが左右方向に並んで複数（例えば３つ）形成されている。なお、本実施形態では、換気孔部群４０Ａが、所定間隔（例えば、３０．８ｍｍ）を開けて複数個形成されているが、一つだけ形成されていてもよい。また、複数の換気孔部４０が形成されていればよく、群をなすように複数の換気孔部４０が形成されていなくてもよい。
【００３０】
換気孔部４０は、後側に向かって所定寸法（例えば、２．５ｍｍ）だけ凹むように形成された、上下方向に長い略直方体状の凹部４０１を有する。この凹部４０１の左右方向の各側部には換気孔４１が形成されている。このように形成された、各換気孔４１は、上下方向に所定距離（例えば、２８．５ｍｍ）だけ延びる長方形のスリット状に形成される。このように、換気孔部４０は、凹部４０１の側部に換気孔４１が形成された形状を有するため、凹部４０１の底面等で炎の侵入等を防ぎながら、換気孔４１を介して通気を行うことができ、かつ蝙蝠等の軒天換気材１への侵入を防止することができるようになっている。
【００３１】
なお、本発明では、換気孔４１の形状は、スリット状でなくてもよく、スリットとは言えない幅広の四角形状であっても、円形等であってもよい。また、換気孔４１は、凹部４０１の側部に形成される構成に限定されず、換気板部４の平面部分に形成されてもよい。
【００３２】
本実施形態における軒天換気材１では、換気孔４１が、溝部２の底面２１よりも、遮蔽板部３側（すなわち前方側）に形成されている。このため、通気入り口Ｏ１から視認し難く、より一層、軒天換気材１の美観を優れたものとすることができ、また、通気入り口Ｏ１からの雨水や炎が換気孔４１に入ることが防止される。
【００３３】
換気板部４には、水抜き孔４２が形成されていることについては上述したが、水抜き孔４２の左右方向の位置は、換気孔部群４０Ａの左右方向の位置と重ならないようになっている。具体的には、水抜き孔４２は、２つの換気孔部群４０Ａの間に形成されている。また、換気孔部群４０Ａの上下方向での位置は、水抜き孔４２の上下方向での位置と重ならないように形成されており、水抜き孔４２よりも上に形成されている。
【００３４】
（軒天換気材１の各部材の構成：上板部６）
図２から図４を用いて上板部６の構成を詳細に説明する。上板部６は、左右方向に延びる長尺状の部材である。上板部６は、換気板部４の上縁Ｋ８から、後方に向かって延設され、立板部５の上端Ｋ９と接続するように形成されている。上板部６が、その前後方向の中途位置に屈曲部Ｋ１２を有する。上板部６は、換気板部４の上縁Ｋ８から後方に向かって延びる上板第１部材６１と、この上板第１部材６１の後縁である屈曲部Ｋ１２から斜め下方向に延設されるように形成された上板第２部材６２とからなる。この様に構成されることで、通気入り口Ｏ１から吹き込まれる風の応力を効果的に吸収することができ、万一の火災時の熱応力に対しても効果的な強度を発揮できる。また、屈曲部Ｋ１２を設けたことによるスプリングバック効果によって軒天井床材１０８の端部をより好ましく嵌入保持することができる。
【００３５】
（軒天換気材１の各部材の構成：立板部５）
図２から図４を用いて立板部５の構成を詳細に説明する。立板部５は、左右方向に延びる長尺状の部材である。立板部５は、上板部６における上板第２部材６２の後縁Ｋ９から、下方に向かって垂直に延設されるように形成されている。立板部５は溝部２の溝底面２１と略平行に離間して設けられており、かつ、立板部５の上縁Ｋ９が溝底面２１の上縁Ｋ４よりも高い位置に形成されている。これによって、溝底面２１の下縁Ｋ７及び立板部５の下縁Ｋ１０との間に通気入り口Ｏ１が形成され、この通気入り口Ｏ１から流入した空気が溝底面２１の後面と立板部５の前面との間を通り換気孔４１に向かう通気路Ｏ２を軒天換気材１内に形成することができる。
【００３６】
立板部５の前面における下部には、加熱膨張性耐火シート５１が貼着されている。加熱膨張性耐火シート５１は、加熱することで、厚さが数倍程度（例えば、１０倍程度）膨張して断熱層となり、例えば、セラミックファイバーに熱を受けて膨張する無機材料と少量の有機および無機結合材を混合して製造されている。この加熱膨張性耐火シート５１の貼着によって、火災時に、通気入り口Ｏ１から炎が軒天換気材１の内部に侵入することを防止することができる。
【００３７】
（軒天換気材１の各部材の構成：下板部７）
図２から図４を用いて下板部７の構成を詳細に説明する。下板部７は、左右方向に延びる長尺状の部材である。下板部７は、立板部５の下縁Ｋ１０から、後方に向かって延設されるように形成されている。下板部７が、溝部２の下面（下側溝壁部２２）とほぼ同じ高さ位置で延設されており、より具体的には、下板部７の下面は、下側溝壁部２２の下面と同一平面上に形成されている。これによって、溝部２に軒天井床材１０８の一端を嵌め入れた場合に、軒天換気材１において軒天井床材１０８より下に突出する部材がなくなり、取付け状態での軒天換気材１の美観を向上させることができる。下板部７は、その略中央部に貫通孔である取付け用孔７Ａが形成され、その後部７１が屈曲部Ｋ１１で屈曲されて上方に立ち上がるように形成されている。そして、下板部７の上には、板面が上下方向に向くように板材７２が配置されている。この板材７２は、下板部７の上面にわたって設けられており、前後方向から、立板部５と下板部７の後部７１とで挟持され、板材７２が下板部７の上面から落下することが防止される。
【００３８】
板材７２の厚みは、溝部２における上側溝壁部２３と下側溝壁部２２との間の長さ（軒天井板材１０８の厚み）と略（ほぼ）同一になっている。そして、図１Ａ、図１Ｂで示すように、軒天換気材１を建物１００に取り付ける場合には、下板部７の板材７２の上に際野縁１０７の底面を配置し、下板部７の取付け用孔７Ａ内に、下方から際野縁１０７の底面に向かってビスＢ３を打ち込んで、ビスＢ３で板材７２を貫通させて、軒天換気材１を際野縁１０７に取り付けることができるようになっている。この様に、本実施形態では、上記厚みを有する板材７２を用いることで、軒天換気材１を際野縁１０７に取り付ける場合と取り付けない場合とで、際野縁１０７の取り付け位置を変更する必要がない。例えば、図１Ａで示すように、軒天換気材１を軒先に取り付ける場合では、軒先際野縁１０７Ａの設置位置を下方にする必要がなく、図１Ｂで示すように、軒天換気材１を軒元に取り付ける場合では、軒元際野縁１０７Ｂの設置位置を下方にする必要がない。このため、軒天換気材１の設置が容易になる。
【００３９】
更に、板材７２として、耐火性を有する板材を用いることで、火災時に板材によって、際野縁１０７への延焼を防止することができる。耐火性を有する板材としては、例えば、セラミックス、せっこう製等の公知の耐火ボード、不燃ボード等の板材を広く使用することができる。
【００４０】
（軒天換気材１の製造方法）
以下に、図２を用いて、本実施形態にかかる軒天換気材１の製造方法を説明する。
まず、１枚の金属製の平板を用意し、この平板に、取付け用孔７Ａ、及び水抜き孔４２、２３１Ａを形成する。この後に、換気孔部４０を形成するために、平板において換気孔部４０の形成位置に一対の切れ目を入れ、これらの切れ目の間に対して押込み加工を施す。この後、図２から図４で示す位置Ｋ１から１２に対応する箇所で、平板を屈曲させることで、溝部２、遮蔽板部３、換気板部４、立板部５、上板部６、及び下板部７が形成される。ここで説明した軒天換気材１の製造方法はあくまで一例であり、この方法と異なる方法で軒天換気材１を製造することができる。例えば、１枚の金属製の平板ではなく、複数枚の金属製の平板を組み合わせて製造してもよい。
【００４１】
（軒天換気材１における空気の流れ）
図５は、軒天換気材１における空気の流れを示す図である。なお、図５では、板材７２は省略されている。図５で示すように、本実施形態に係る軒天換気材１では、溝底面２１と立板部５との間、上板部６上側溝壁部２３との間、及び、換気板部４と上側溝壁部２３との間にわたって、通気路Ｏ２が形成される。そして、空気が、図５の矢印で示すように、溝底面２１の下縁Ｋ７と立板部５の下縁Ｋ１０の間の通気入り口Ｏ１から通気路Ｏ２内に流入し、通気路Ｏ２を通って、換気板部４に形成された換気孔４１から軒天井裏１００Ａに流入する。これによって、軒天井裏１００Ａの換気が行われる。
【００４２】
（軒天換気材１における雨水の排出）
図６は、軒天換気材における雨水の排出を示す図である。なお、図６では、板材７２は省略されている。図６の矢印で示すように、本実施形態に係る軒天換気材１では、通気入り口Ｏ１から流入した雨水は、その大部分が突出部位２３１でブロックされるが、突出部位２３１の上方を超えて通気路Ｏ２内に入り込み、換気孔４１を通って、軒天井裏１００Ａに入り込むものもある。この場合には、軒天井裏１００Ａに流入した雨水は、遮蔽板部３で跳ね返って、遮蔽板部３及び換気板部４に形成された水抜き孔４２から軒天換気材１内に排出される。そして、軒天換気材１内に排出された雨水は、突出部位２３１に形成された２３１Ａから軒天換気材１の外部に排出される。
【符号の説明】
【００４３】
１                      軒天換気材
２                      溝部２
２３１                  突出部位
２３１Ａ                水抜き孔
３                      遮蔽板部
４                      換気板部
４１                    換気孔
４２                    水抜き孔
５                      立板部
６                      上板部
７                      下板部
７２                    板材
Ｏ１                    通気入り口
【図１Ａ】
2016211305.tif 000003
【図１Ｂ】
2016211305.tif 000004
【図２】
2016211305.tif 000005
【図３】
2016211305.tif 000006
【図４】
2016211305.tif 000007
【図５】
2016211305.tif 000008
【図６】
2016211305.tif 000009